(57)【要約】【課題】ＲＦＩＤタグとセンサ類とを効率的に連携させて、対象物に関するセンサ測定値を確実かつ低コストに管理可能とする。【解決手段】物品５の移動経路ないし所在地に設置されセンサ５０と通信することでセンサ５０での測定データを取得するセンサ管理装置２００と、センサ管理装置２００と通信しセンサ管理装置２００が得たセンサ５０での測定データを取得し所定の統計処理を管理単位毎に実行する測定データ取得部１１０と、管理単位の識別情報を書き込み先情報とした統計処理結果の書き込み指示をＲＦＩＤタグ３０のリーダライタ３００に通知するデータ格納処理部１１１とを備えたサーバ１００と、サーバ１００と通信して書き込み指示を受信しＲＦＩＤタグ３０に対し統計処理結果の書き込み処理を実行するリーダライタ３００とから測定値管理システム１０を構成する。【選択図】図１
2011107903.tif 000002
【特許請求の範囲】
【請求項１】
ＲＦＩＤタグを付帯する物品の管理単位毎に設置されるセンサの測定値を管理するコンピュータシステムであり、
物品の移動経路ないし所在地に設置され、センサと通信することでセンサでの測定データを取得するセンサ管理装置と、
センサ管理装置とネットワークを介して通信して、前記センサ管理装置が得たセンサでの測定データを取得し、当該測定データに関する所定の統計処理を、測定データが含んでいる管理単位の識別情報毎に実行する測定データ取得部と、
前記測定データが含んでいる管理単位の識別情報を書き込み先情報とした前記統計処理結果の書き込み指示を、ネットワークを介してＲＦＩＤタグのリーダライタに通知するデータ格納処理部とを備えたサーバと、
サーバとネットワークを介して通信して、管理単位の識別情報を書き込み先情報とした前記書き込み指示を受信し、当該書き込み指示が示す管理単位の識別情報を記憶するＲＦＩＤタグに対し、前記統計処理結果の書き込み処理を実行するリーダライタと、
を含むことを特徴とする測定値管理システム。
【請求項２】
前記サーバの測定データ取得部は、
物品の移動経路ないし所在地に設置された複数のセンサ管理装置とネットワークを介して通信して、各センサ管理装置が管理するセンサでの測定データを取得し、当該測定データに関する所定の統計処理を、測定データが含んでいる管理単位の識別情報毎に実行し、
前記サーバのデータ格納処理部は、
前記測定データが含んでいる管理単位の識別情報と、前記測定データが含んでいる当該測定データの測定装置であるセンサの識別情報とを書き込み先情報とした前記統計処理結果の書き込み指示を、ネットワークを介してＲＦＩＤタグのリーダライタに通知し、
前記リーダライタは、
サーバとネットワークを介して通信して、管理単位の識別情報とセンサの識別情報とを書き込み先情報とした前記書き込み指示を受信し、当該書き込み指示が示す管理単位の識別情報を記憶するＲＦＩＤタグに対し、当該ＲＦＩＤタグが備える複数の記憶領域のうち前記センサの識別情報に対応した記憶領域への前記統計処理結果の書き込み処理を実行する
ことを特徴とする請求項１に記載の測定値管理システム。
【請求項３】
前記サーバの測定データ取得部は、
センサ管理装置とネットワークを介して通信して、前記センサ管理装置が得たセンサでの測定データを取得し、前記リーダライタとネットワークを介して通信して、ＲＦＩＤタグの記憶領域での空き容量情報を取得し、前記測定データのデータサイズを前記空き容量のサイズまで低減する所定の統計処理を、測定データが含んでいる管理単位の識別情報毎に実行することを特徴とする請求項１または２に記載の測定値管理システム。
【請求項４】
前記サーバは、
ネットワークを介してリーダライタと通信し、当該リーダライタが通信可能なＲＦＩＤタグの記憶領域に格納されている前記統計処理結果のデータを取得して出力部に出力する、タグデータ取得部を備えることを特徴とする請求項１〜３のいずれかに記載の測定値管理システム。
【請求項５】
前記サーバのタグデータ取得部は、
ネットワークを介してリーダライタと通信し、当該リーダライタが通信可能なＲＦＩＤタグの記憶領域に格納されている前記統計処理結果のデータを取得し、この統計処理結果のデータを所定基準値と照合し、その照合結果を出力部に出力することを特徴とする請求項４に記載の測定値管理システム。
【請求項６】
ＲＦＩＤタグを付帯する物品の管理単位毎に設置されるセンサの測定値を管理する方法であり、
物品の移動経路ないし所在地に設置されたセンサ管理装置が、センサと通信することでセンサでの測定データを取得し、
サーバが、センサ管理装置とネットワークを介して通信して、前記センサ管理装置が得たセンサでの測定データを取得し、当該測定データに関する所定の統計処理を、測定データが含んでいる管理単位の識別情報毎に実行し、
前記測定データが含んでいる管理単位の識別情報を書き込み先情報とした前記統計処理結果の書き込み指示を、ネットワークを介してＲＦＩＤタグのリーダライタに通知し、  リーダライタが、サーバとネットワークを介して通信して、管理単位の識別情報を書き込み先情報とした前記書き込み指示を受信し、当該書き込み指示が示す管理単位の識別情報を記憶するＲＦＩＤタグに対し、前記統計処理結果の書き込み処理を実行する、
ことを特徴とする測定値管理方法。
【発明の詳細な説明】
【技術分野】
【０００１】
本発明は、測定値管理システムおよび測定値管理方法に関するものであり、具体的には、ＲＦＩＤタグとセンサ類とを効率的に連携させて、対象物に関するセンサ測定値を確実かつ低コストに管理可能とする技術に関する。
【背景技術】
【０００２】
近年、流通や販売におけるサプライチェーンマネジメントや物品管理の分野で、ＲＦＩＤタグの普及が進んでいる。また、従来より流通分野等で、輸送中の物品の品質管理のために、温度センサや加速度センサ等を用いることがある。今後、こうしたＲＦＩＤタグと各種センサとを組み合わせた物品管理技術の普及が進むと予想される。該当技術として例えば、製品が流通過程で置かれた各拠点の正確な環境データを容易に取得して製品の寿命分析を詳細に行なえるようにする製品流通管理システムが提案されている（特許文献１参照）。また、必要とする情報を効率よく収集し且つ収集したデータを少ないメモリ容量で有効に保持する無線タグ装置、無線タグ処理システム等を提供する無線タグ装置が提案されている（特許文献２参照）。
【先行技術文献】
【特許文献】
【０００３】
【特許文献１】特開２００４−２９２１４７号公報
【特許文献２】特開２００８−２１７５５６号公報
【発明の概要】
【発明が解決しようとする課題】
【０００４】
ところで、センサ類はＲＦＩＤタグに比べ導入コストが高くなりやすく、ＲＦＩＤタグと異なり物品個々に設置するのは難しい側面がある。このことは、例えば流通の現場において、様々な流通経路を経由して運搬される物品類に関して、個々の物品毎に全てセンサ類を設置して流通経路上の運搬状況のデータを取得し、それを利用することが困難であることを指す。  
そこで本発明は上記課題を鑑みてなされたものであり、ＲＦＩＤタグとセンサ類とを効率的に連携させて、対象物に関するセンサ測定値を確実かつ低コストに管理可能とする技術の提供を主たる目的とする。
【課題を解決するための手段】
【０００５】
上記課題を解決する本発明の測定値管理システムは、ＲＦＩＤタグを付帯する物品の管理単位毎に設置されるセンサの測定値を管理するコンピュータシステムであり、センサと通信することでセンサでの測定データを取得するセンサ管理装置と、サーバと、リーダライタとからなるシステムである。この際、センサ管理装置は、物品の移動経路ないし所在地に設置することが好適である。
【０００６】
前記サーバは、センサ管理装置とネットワークを介して通信して、前記センサ管理装置が得たセンサでの測定データを取得し、当該測定データに関する所定の統計処理を、測定データが含んでいる管理単位の識別情報毎に実行する測定データ取得部と、前記測定データが含んでいる管理単位の識別情報を書き込み先情報とした前記統計処理結果の書き込み指示を、ネットワークを介してＲＦＩＤタグのリーダライタに通知するデータ格納処理部とを備えている。
【０００７】
また、前記リーダライタは、サーバとネットワークを介して通信して、管理単位の識別情報を書き込み先情報とした前記書き込み指示を受信し、当該書き込み指示が示す管理単位の識別情報を記憶するＲＦＩＤタグに対し、前記統計処理結果の書き込み処理を実行するものである。
【０００８】
なお、前記測定値管理システムにおいて、前記サーバの測定データ取得部は、物品の移動経路ないし所在地に設置された複数のセンサ管理装置とネットワークを介して通信して、各センサ管理装置が管理するセンサでの測定データを取得し、当該測定データに関する所定の統計処理を、測定データが含んでいる管理単位の識別情報毎に実行するとしてもよい。
【０００９】
この場合、前記サーバのデータ格納処理部は、前記測定データが含んでいる管理単位の識別情報と、前記測定データが含んでいる当該測定データの測定装置であるセンサの識別情報とを書き込み先情報とした前記統計処理結果の書き込み指示を、ネットワークを介してＲＦＩＤタグのリーダライタに通知するとすれば好適である。
【００１０】
またこの場合、前記リーダライタは、サーバとネットワークを介して通信して、管理単位の識別情報とセンサの識別情報とを書き込み先情報とした前記書き込み指示を受信し、当該書き込み指示が示す管理単位の識別情報を記憶するＲＦＩＤタグに対し、当該ＲＦＩＤタグが備える複数の記憶領域のうち前記センサの識別情報に対応した記憶領域への前記統計処理結果の書き込み処理を実行するとすれば好適である。
【００１１】
また、前記測定値管理システムにおいて、前記サーバの測定データ取得部は、センサ管理装置とネットワークを介して通信して、前記センサ管理装置が得たセンサでの測定データを取得し、前記リーダライタとネットワークを介して通信して、ＲＦＩＤタグの記憶領域での空き容量情報を取得し、前記測定データのデータサイズを前記空き容量のサイズまで低減する所定の統計処理を、測定データが含んでいる管理単位の識別情報毎に実行するとしてもよい。
【００１２】
また、前記測定値管理システムにおいて、前記サーバは、ネットワークを介してリーダライタと通信し、当該リーダライタが通信可能なＲＦＩＤタグの記憶領域に格納されている前記統計処理結果のデータを取得して出力部に出力する、タグデータ取得部を備えるとしてもよい。
【００１３】
また、前記測定値管理システムにおいて、前記サーバのタグデータ取得部は、ネットワークを介してリーダライタと通信し、当該リーダライタが通信可能なＲＦＩＤタグの記憶領域に格納されている前記統計処理結果のデータを取得し、この統計処理結果のデータを所定基準値と照合し、その照合結果を出力部に出力するとしてもよい。
【００１４】
また本発明の測定値管理方法は、ＲＦＩＤタグを付帯する物品の管理単位毎に設置されるセンサの測定値を管理する方法であり、物品の移動経路ないし所在地に設置されたセンサ管理装置が、センサと通信することでセンサでの測定データを取得し、サーバが、センサ管理装置とネットワークを介して通信して、前記センサ管理装置が得たセンサでの測定データを取得し、当該測定データに関する所定の統計処理を、測定データが含んでいる管理単位の識別情報毎に実行し、前記測定データが含んでいる管理単位の識別情報を書き込み先情報とした前記統計処理結果の書き込み指示を、ネットワークを介してＲＦＩＤタグのリーダライタに通知し、リーダライタが、サーバとネットワークを介して通信して、管理単位の識別情報を書き込み先情報とした前記書き込み指示を受信し、当該書き込み指示が示す管理単位の識別情報を記憶するＲＦＩＤタグに対し、前記統計処理結果の書き込み処理を実行する、ことを特徴とする。
【発明の効果】
【００１５】
本発明によれば、ＲＦＩＤタグとセンサ類とを効率的に連携させて、対象物に関するセンサ測定値を確実かつ低コストに管理可能とできる。
【図面の簡単な説明】
【００１６】
【図１】本実施形態の測定値管理システムの概略構成例１を示す図である。
【図２】本実施形態のＲＦＩＤタグとリーダライタの構造例を示す図である。
【図３】本実施形態のセンサとセンササーバの構造例を示す図である。
【図４】本実施形態の集中制御装置（サーバ）の構造例を示す図である。
【図５】本実施形態のＲＦＩＤタグにおける記憶領域の構造例を示す図である。
【図６】本実施形態の測定値管理方法の処理フロー例１を示す図である。
【図７】本実施形態の測定値管理システムの概略構成例２を示す図である。
【図８】本実施形態の測定値管理方法の処理フロー例２を示す図である。
【図９】本実施形態の集中制御装置におけるデータ管理例を示す図である。
【発明を実施するための形態】
【００１７】
−−−システム構成−−−
以下に本発明の実施形態について図面を用いて詳細に説明する。図１は、本実施形態の測定値管理システム１０を含むネットワーク構成図である。図１に示す測定値管理システム１０（以下、システム１０）は、ＲＦＩＤタグとセンサ類とを効率的に連携させて、対象物に関するセンサ測定値を確実かつ低コストに管理可能とするコンピュータシステムである。
【００１８】
本実施形態では、前記システム１０をサーバたる集中制御装置１００およびセンサ管理装置たるセンササーバ２００、ＲＦＩＤタグ３０のリーダライタ３００で構成している。前記集中制御装置１００は、例えば運送事業者が管理するサーバ装置であり、ＷＡＮなどの各種ネットワーク１５を介して、運送物たる物品の移動経路＝運搬経路上（物品納入先も含む）や製造過程などに設置されたセンササーバ２００や、リーダライタ３００と通信可能に結ばれた装置を想定できる。
【００１９】
図１に示す例では、管理対象となる物品５に、タグＩＤや物品５の識別コード等が格納されたＲＦＩＤタグ３０と、センサ５０（図中では、Ａセンサ５０Ａ、Ｂセンサ５０Ｂ）が貼付されている。Ａセンサ５０Ａ及びＢセンサ５０Ｂは、物品５を監視する内容によって種類が異なるものであり、例えば、物品５ないしその周囲の温度を監視する場合は温度センサであり、物品５に加わる衝撃等を監視する場合は加速度センサとなる。勿論、センサの種類は限定されない。
【００２０】
前記ＲＦＩＤタグ３０は、リーダライタ３００と無線通信し、センサ５０はセンササーバ２００と通信する（Ａセンサ５０ＡはＡセンササーバ２００Ａと、Ｂセンサ５０ＢはＢセンササーバ２００Ｂと）。図示していないが、リーダライタ３００やセンササーバ２００、ＲＦＩＤタグ３０やセンサ５０が複数あっても勿論良い。更に、図１に示す構成が複数あり、各集中制御装置１００が上位の管理装置等に接続されているとしても良い。その場合、上位の管理装置から各集中制御装置１００にＲＦＩＤタグ３０の読み書きやセンサ５０のデータの取得の指示を出しても良いし、各集中制御装置１００で制御内容を記憶しておき、ＲＦＩＤタグ３０の読み書き結果や、センサ５０のデータを上位の管理装置に送信するとしても良い。
【００２１】
図２は、本実施形態のＲＦＩＤタグ３０とリーダライタ３００の構造例を示す図である。ＲＦＩＤタグ３０は、リーダライタ３００から電波を受信し、このリーダライタ３００と信号やデータの送受信を行うアンテナ３１を備える。またＲＦＩＤタグ３０は、アンテナ３１から受信した電波を整流する整流部３２と、当該整流部３２で整流して得た電圧を検出し、各部に電源を供給する電源部３３を備える。またＲＦＩＤタグ３０は、受信信号やＲＦＩＤタグコマンドデータの復調を行い、また送信する信号やＲＦＩＤタグコマンドデータの変調を行う通信制御部３４を備える。
【００２２】
またＲＦＩＤタグ３０は、初期化処理やＲＦＩＤタグコマンドデータの処理、記憶部３６の各データ項目に対するアクセス管理処理、リーダライタ３００への応答データの生成処理など各種処理を実行する制御部３５を備えている。またＲＦＩＤタグ３０は、ＲＦＩＤタグ３０の識別番号たるタグＩＤ、ＲＦＩＤタグ３０が貼付された物品５ないし物品５の管理単位の識別情報、その他の情報を記憶する記憶部３６を備えている。なお、記憶部３６の構造例については図５に基づいて後述する。物品５の管理単位とは、例えば、物品５の出荷単位や保管単位を想定できる。そのため物品５の管理単位を示す識別情報としては、例えばロット番号やパレット番号などがあげられる。或いは物品単体が出荷単位や保管単位などの管理単位となる場合もあり得る。
【００２３】
一方、リーダライタ３００は、ＲＦＩＤタグ３０とデータの送受信を行うための制御を行うリーダライタ本体３１２と、電波の出力やＲＦＩＤタグ３０へＲＦＩＤタグコマンドデータを送信したり、ＲＦＩＤタグ３０からの応答を受信したりするＲＦＩＤリーダライタアンテナ３１１から構成される。
【００２４】
リーダライタ本体３１２は、リーダライタアンテナ３１１を用いてＲＦＩＤタグ３０へＲＦＩＤタグコマンドデータを送信したり、その応答を受信したりする送受信部３１３と、ＲＦＩＤタグコマンドデータの送信時の変調や受信時の信号の増幅や復調を行い、また通信方法を備えた通信制御部３１４を備えている。
【００２５】
またリーダライタ本体３１２は、ＲＦＩＤリーダライタ全体の制御を行う制御部３１５と、外部から電源を供給し、各部に電源を供給するための電源部３１６と、集中制御装置１００や適宜なパーソナルコンピュータなどの外部通信装置とデータやＲＦＩＤリーダライタコマンドデータ及び実行結果などの通信を行うホストインタフェース３１７、必要な機能を実現するプログラムを格納するメモリ３１８とを備えている。前記制御部３１５は、集中制御装置１００とネットワーク１５を介して通信して、タグＩＤを書き込み先情報とした書き込み指示を受信し、当該書き込み指示が示すタグＩＤを記憶するＲＦＩＤタグ３０に対し、前記書き込み指示が含む統計処理結果の書き込み処理を実行する。
【００２６】
こうしたリーダライタ３００は、ＲＦＩＤタグ３０に対し、電波出力してＲＦＩＤタグコマンドデータ１を送信する。その電波を受信したＲＦＩＤタグ３０は、前記電波に起因する電源の受給により動作し、受信したＲＦＩＤタグコマンドデータ１に対応した処理を実施し、結果であるＲＦＩＤタグデータ２を返信する。ＲＦＩＤタグコマンドデータ１は、ＲＦＩＤタグ３０に格納されている識別番号やデータを取得する読取りコマンドや、ＲＦＩＤタグ３０にデータを格納する書込みコマンドや、ＲＦＩＤタグ３０の各領域ごとに読取りまたは書込みを不可にするロックコマンドなどがある。
【００２７】
図３は、本実施形態のセンサ５０とセンササーバ２００の構造例を示す図である。センサ５０は、センササーバ２００から電波を受信し、センササーバ２００と信号やデータの送受信を行うアンテナ５１を備えている。またセンサ５０は、アンテナ５１から受信した電波を整流する整流部５２と、整流して得た電圧を検出し、また電源を保持し、その電源を各部に電源を供給する電源部５３を備えている。
【００２８】
また、センサ５０は、受信信号やセンサコマンドデータの復調を行い、また送信する信号やセンサコマンドデータの変調を行う通信制御部５４と、温度や加速度等外部の環境情報を取得する検出部５５を備えている。またセンサ５０は、初期化処理やセンサコマンドデータの処理、検出部５５で検出したデータの加工や記憶部５７への格納処理、または記憶部５７のデータ参照処理、センササーバ２００に応答するセンサデータの生成処理を実行する制御部５６を備えている。また、センサ５０は、当該センサ５０の識別番号やその他の情報や、検出部５５で取得したデータを記憶する記憶部５７を備えている。
【００２９】
一方、センササーバ２００は、物品５の移動経路ないし所在地に設置され、センサ５０と通信することでセンサ５０での測定データを取得するサーバであり、センサ５０とデータの送受信を行うための制御を担うセンサ本体２１１と、電波の出力やセンサ５０へのセンサコマンドデータの送信、センサ５０からの応答受信を行うセンササーバアンテナ２１２から構成される。センサ本体２１１は、センササーバアンテナ２１２を用いて、センサ５０へセンサコマンドデータを送信したり、その応答を受信したりする送受信部２１３と、センサコマンドデータの送信時の変調や受信時の信号の増幅や復調を行う通信制御部２１４を備えている。
【００３０】
またセンササーバ２００は、センササーバ全体の制御を行う制御部２１５と、外部から電源を受給し、各部に電源を供給するための電源部２１６と、集中制御装置１００やパーソナルコンピュータなどの外部通信装置とデータやセンサコマンドデータ及び実行結果などの通信を行うホストインタフェース２１７、必要な機能を実現するプログラムを格納したメモリ２１８を備えている。センササーバ２００は、センサ５０に対して電波出力し、センサコマンドデータ３を送信する。一方、センサ５０はその電波を受信することでセンサコマンドデータ３を得て、このセンサコマンドデータ３に対応した処理を実行して、その結果であるセンサデータ４をセンササーバ２００に返信する。センサコマンドデータ３は、センサ５０の記憶部５７に蓄積された温度や加速度などのデータを取得するコマンドや、センサ５０を制御するためのコマンドなどがある。
【００３１】
続いて、上記ネットワーク１５に含まれる集中制御装置１００の構成について説明する。集中制御装置１００は、前記システム１０を構成するサーバ装置である。この集中制御装置１００は、記憶部１０１、メモリ１０３、ＣＰＵなどの制御部１０４、通信部１０７らがＢＵＳにより互いに接続されて構成されている。
【００３２】
前記集中制御装置１００は、ハードディスクドライブなどの前記記憶部１０１に格納されたプログラム１０２を、メモリ１０３などの揮発性メモリに読み出すなどして制御部１０４により実行することになる。また、前記集中制御装置１００は、コンピュータ装置が一般に備えている各種キーボードやボタン類などの入力部１０５、ディスプレイなどの出力部１０６を必要に応じて備えるとしてもよい。また前記集中制御装置１００は、他装置との間のデータ授受を担うＮＩＣ（Network Interface Card）など通信部１０７を有し、前記センササーバ２００やリーダライタ３００などとネットワーク１５を介して通信可能となっている。
【００３３】
続いて、前記集中制御装置１００が、例えばプログラム１０２に基づき記憶部１０１にて構成・保持する機能部につき説明を行う。前記集中制御装置１００は、センサ管理装置たるセンササーバ２００とネットワーク１５を介して通信して、前記センササーバ２００が得たセンサ５０での測定データを取得し、当該測定データに関する所定の統計処理を、測定データが含んでいる管理単位の識別情報毎に実行する測定データ取得部１１０を備えている。この測定データ取得部１１０が実行する統計処理は、例えば、測定データの平均値や最大値、最小値を求める処理などが一例として想定できる。勿論、測定データ取得部１１０は、こうした統計処理を実行するためのプログラムを当然に備えている。
【００３４】
また、前記集中制御装置１００は、前記測定データが含んでいる管理単位の識別情報を書き込み先情報とした前記統計処理結果の書き込み指示を、ネットワーク１５を介してＲＦＩＤタグ３０のリーダライタ３００に通知するデータ格納処理部１１１を備えている。
【００３５】
なお、前記集中制御装置１００の測定データ取得部１１０は、物品５の移動経路ないし所在地に設置された複数のセンササーバ２００とネットワーク１５を介して通信して、各センササーバ２００が管理するセンサ５０での測定データを取得し、当該測定データに関する所定の統計処理を、測定データが含んでいる管理単位の識別情報毎に実行するとしてもよい。
【００３６】
この場合、前記集中制御装置１００のデータ格納処理部１１１は、前記測定データが含んでいる管理単位の識別情報と、前記測定データが含んでいる当該測定データの測定装置であるセンサ５０の識別情報とを書き込み先情報とした前記統計処理結果の書き込み指示を、ネットワーク１５を介してＲＦＩＤタグ３０のリーダライタ３００に通知すると好適である。
【００３７】
またこの時、前記リーダライタ３００は、集中制御装置１００とネットワーク１５を介して通信して、管理単位の識別情報とセンサ５０の識別情報とを書き込み先情報とした前記書き込み指示を受信し、当該書き込み指示が示す管理単位の識別情報を記憶するＲＦＩＤタグ３０に対し、当該ＲＦＩＤタグ３０が備える複数の記憶領域のうち前記センサ５０の識別情報に対応した記憶領域への前記統計処理結果の書き込み処理を実行すると好適である。
【００３８】
また、前記集中制御装置１００の測定データ取得部１１０は、センササーバ２００とネットワーク１５を介して通信して、前記センササーバ２００が得たセンサ５０での測定データを取得し、前記リーダライタ３００とネットワーク１５を介して通信して、ＲＦＩＤタグ３０の記憶領域での空き容量情報を取得し、前記測定データのデータサイズを前記空き容量のサイズまで低減する所定の統計処理を、測定データが含んでいる管理単位の識別情報毎に実行するとしてもよい。
【００３９】
また、前記集中制御装置１００は、ネットワーク１５を介してリーダライタ３００と通信し、当該リーダライタ３００が通信可能なＲＦＩＤタグ３０の記憶領域に格納されている前記統計処理結果のデータを取得して出力部１０６に出力する、タグデータ取得部１１２を備えるとしてもよい。
【００４０】
なお、前記集中制御装置１００のタグデータ取得部１１２は、ネットワーク１５を介してリーダライタ３００と通信し、当該リーダライタ３００が通信可能なＲＦＩＤタグ３０の記憶領域に格納されている前記統計処理結果のデータを取得し、この統計処理結果のデータを所定基準値と照合し、その照合結果を出力部１０６に出力するとしてもよい。
【００４１】
これまで示した前記システム１０をなす集中制御装置１００における各部１１０〜１１２はハードウェアとして実現してもよいし、集中制御装置１００におけるメモリやＨＤＤ（Ｈａｒｄ  Ｄｉｓｋ  Ｄｒｉｖｅ）などの適宜な記憶部に格納したプログラムとして実現するとしてもよい。この場合、集中制御装置１００のＣＰＵなど制御部がプログラム実行に合わせて記憶部より該当プログラムを読み出して、これを実行することとなる。
【００４２】
−−−データ構造例−−−
次に、本実施形態のＲＦＩＤタグ３０の記憶部３６におけるデータ構造例について説明する。図５は本実施形態のＲＦＩＤタグ３０のデータ構成例を示す図である。本実施形態におけるＲＦＩＤタグ３０は、その記憶部３６において以下の領域を備えている。すなわち、アクセス認証用のパスワードを格納するＲｅｓｅｒｖｅｄ４０２、ＲＦＩＤタグ３０の識別番号４１１＝タグＩＤを格納するＵＩＩ４０３、ＲＦＩＤタグ３０が貼付された物品５の製品識別番号４１３（ロット番号や製造番号など）を格納するＴＩＤ４０４、ユーザが自由にデータを読み書き可能なＵＳＥＲ４０６のデータ記憶領域である。図で例示したＵＳＥＲ４０５の領域は、Ｂｌｏｃｋ_ａ４０６、Ｂｌｏｃｋ_ｂ４０７、Ｂｌｏｃｋ_ｃ４０８、Ｂｌｏｃｋ_ｄ４０９、Ｂｌｏｃｋ_ｅ４１０と５つの領域に分割されている。
【００４３】
上述のようにＲｅｓｅｒｖｅｄ４０２の領域に格納されているパスワード４１１は、前記各領域４０２〜４１０にアクセスするためのパスワードであり、各領域毎に設定されているとしてもよい（この場合、各領域毎にアクセス制限を設定していることになる）。
【００４４】
なお、前記Ｂｌｏｃｋ_ａ４０６〜Ｂｌｏｃｋ_ｅ４１０は、センサ別のデータ記憶領域ある。例えば、Ｂｌｏｃｋ_ａ４０６にはＡセンサのデータ４１４、Ｂｌｏｃｋ_ｂ４０７にはＢセンサのデータ４１５、Ｂｌｏｃｋ_ｃ４０８にはＣセンサのデータ４１６、Ｂｌｏｃｋ_ｄ４０９にはＤセンサのデータ４１７、Ｂｌｏｃｋ_ｅ４１０には、Ｅセンサのデータ４１８が格納される。これら領域４０６〜４１０に格納されるセンサのデータは、集中制御装置１００が該当センサから得た測定データを統計処理した結果のデータとなる。
【００４５】
−−−処理手順例１−−−
以下、本実施形態における測定値管理方法の実際手順について図に基づき説明する。以下で説明する測定値管理方法に対応する各種動作は、前記システム１０を構成する前記集中制御装置１００やセンササーバ２００、リーダライタ３００等のメモリに読み出して実行するプログラムによって実現される。そして、このプログラムは、以下に説明される各種の動作を行うためのコードから構成されている。図６は、本実施形態の測定値管理方法の処理フロー例１を示す図である。ここでは、集中制御装置１００における、センササーバ２００からの測定データの取得、ＲＦＩＤタグ３０へのデータ書込み処理について主に説明する。
【００４６】
この場合、前記集中制御装置１００の測定データ取得部１１０は、例えば入力部１０５を介して事前に設定または指定されたセンササーバ２００とネットワーク１５を介して通信して、測定データの取得要求を通知する（ｓ１００）。勿論、こうした通信を行う前提として、集中制御装置１００は各センササーバ２００のネットワーク１５上でのアドレスを記憶部１０１に当然に備えていて、入力部１０５などでセンササーバ２００の指定を受けると、該当センササーバ２００（単数ないし複数）のアドレスを記憶部１０１で特定して通信を開始する（リーダライタ３００も同様）。なお、前記ステップｓ１００は、集中制御装置１００に予め設定された開始時刻等の到来をコンピュータとして集中制御装置１００が当然に備えるクロック機能等で検知して開始するとしても良い。或いは、センササーバ２００からの物体５の検知通知を受けて開始したり、集中制御装置自体が物体５を検知するセンサを備えて該当センサからの物体５の検知信号に応じて開始するとしても良い。
【００４７】
一方、集中制御装置１００から測定データの取得要求を受けたセンササーバ２００では、当該取得要求に応じて、例えば、センサ５０と無線通信して取得してメモリ２１８に蓄積していた測定データを返信する（ｓ１０１）。
【００４８】
集中制御装置１００の測定データ取得部１１０は、センササーバ２００から返信されてきた測定データを受信して取得し（ｓ１０２）、当該測定データに関する所定の統計処理を、測定データが含んでいる管理単位の識別情報毎、例えば、ロット番号毎に実行する（ｓ１０３）。なお、前記測定データを返信してきたセンササーバ２００が管理しているのが温度センサであった場合、集中制御装置１００は前記センササーバ２００から、該当センサ５０が測定してきた温度データを測定データとして得る。センササーバ２００が過去の温度データも含めて連続した大量のデータを蓄積している場合、当然ながら集中制御装置１００もその大量の温度データを取得できることになる。一方、それら大量の温度データ全てをＲＦＩＤタグ３０に記憶させる必要はないし、ＲＦＩＤタグ３０の記憶容量自体が大容量のデータを格納しておくには不向きなため、温度データ群の最大値や最小値、平均値等に変換することが望ましい。つまり、ＲＦＩＤタグ３０に格納可能なデータサイズに加工する統計処理が必要である（統計処理の手法について限定しない）。
【００４９】
また、前記測定データを返信してくるセンササーバ２００が複数であったり、或いは１つのセンササーバ２００のみが測定データを返信してくる状況であっても複数種のセンサ５０の測定データを含んでいる場合、測定データ取得部１１０における上記統計処理は、センサ別に実行される。各測定データにはその測定データを計測したセンサ５０の識別情報が含まれているから、その識別情報をキーに測定データを分類して統計処理を行えばよい。
【００５０】
前記集中制御装置１００の測定データ取得部１１０は、例えば前記ステップｓ１０３に先だって、入力部１０５を介して事前に設定または指定されたリーダライタ３００とネットワーク１５を介して通信して、このリーダライタ３００が通信可能なＲＦＩＤタグ３０の記憶領域での空き容量情報を取得するとしてもよい。この場合、前記測定データ取得部１１０は、前記リーダライタ３００に対してＲＦＩＤタグ３０の空き容量確認要求を通知し、リーダライタ３００からＲＦＩＤタグ３０の空き容量情報を得ることになる。リーダライタ側では、前記空き容量確認要求に応じて、通信可能なＲＦＩＤタグ３０（＝リーダライタ３００から所定距離内に存在するＲＦＩＤタグ３０）に対し、空き容量の問い合わせを行っている。ＲＦＩＤタグ３０はこの問い合わせに対して、例えば、前記Ｂｌｏｃｋ_ａ４０６〜Ｂｌｏｃｋ_ｅ４１０の各領域の空き容量の情報を返す。
【００５１】
リーダライタ３００からＲＦＩＤタグ３０の空き容量情報を得た前記測定データ取得部１１０は、前記ステップｓ１０３において、前記測定データのデータサイズを前記空き容量のサイズまで低減する所定の統計処理を、測定データが含んでいる管理単位の識別情報毎に実行する。例えば、センササーバ２００から得ているＡセンサ５０Ａに関する測定データ群のサイズが「１００ｋバイト」であり、ＲＦＩＤタグ３０の記憶領域のうち、前記Ｂｌｏｃｋ_ａ４０６の空き容量が「５ｋバイト」であるとする。前記測定データ取得部１１０は、前記測定データ群をなす２０個の測定データ（１個あたり５ｋバイトのデータ）より、平均値を算定して１つの測定データ（＝５ｋバイト）にまるめる。
【００５２】
続いて前記集中制御装置１００のデータ格納処理部１１１は、前記測定データが含んでいる管理単位の識別情報、例えば、ロット番号を書き込み先情報とした前記統計処理結果の書き込み指示を、ネットワーク１５を介してＲＦＩＤタグ３０のリーダライタ３００に通知する（ｓ１０４）。この通知は、ネットワーク１５に存在するリーダライタ３００に対してマルチキャストするものであってもよいし、或いは、入力部１０５で予め指定されたリーダライタ３００に対して行うものであってもよい。
【００５３】
取り扱う測定データが１種類のセンサ５０によるものであれば、前記管理単位の識別情報のみを書き込み先情報としてよいが、複数種類のセンサ５０に由来する測定データに関しては、前記データ格納処理部１１１は、前記測定データが含んでいる管理単位の識別情報と、前記測定データが含んでいる当該測定データの測定装置であるセンサ５０の識別情報とを書き込み先情報とする。つまり、ＲＦＩＤタグ３０のどの記憶領域（領域４０６〜４１０）に統計処理結果を格納すべきか指定している。
【００５４】
他方、リーダライタ３００は、前記集中制御装置１００とネットワーク１５を介して通信して、管理単位の識別情報とセンサ５０の識別情報とを書き込み先情報とした前記書き込み指示を受信する（ｓ１０５）。そして、このリーダライタ３００は、通信可能範囲に存在するＲＦＩＤタグ３０と通信を行って、ＲＦＩＤタグ３０の記憶領域のうち前記ＴＩＤ４０４に格納されている製品識別情報＝ロット番号の情報を取得する（ｓ１０６）。またリーダライタ３００は、ここで取得した製品識別情報＝ロット番号が、前記書き込み指示が示すロット番号と一致するか判定し、前記書き込み指示が指定するロット番号を記憶するＲＦＩＤタグ３０を特定する（ｓ１０７）。
【００５５】
リーダライタ３００は、前記ステップｓ１０７で特定したＲＦＩＤタグ３０に対し、該当ＲＦＩＤタグ３０が備える複数の記憶領域のうち前記センサ５０の識別情報、例えば、「センサＡ」に対応した記憶領域「Ｂｌｏｃｋ_ａ」への前記統計処理結果の書き込み処理を実行し（ｓ１０８）、処理完了を集中制御装置１００に返信する。  
一方、集中制御装置１００のデータ格納処理部１１１は、前記リーダライタ３００からＲＦＩＤタグ３０への統計処理結果の書込み処理完了の通知を受信し（ｓ１０９）、処理を終了する。
【００５６】
なお、ＲＦＩＤタグ３０に書き込んだ統計処理結果のデータを読み込み不可または、更新不可にするために、前記ステップｓ１０８の後、リーダライタ３００がＲＦＩＤタグ３０に該当記憶領域に関する読取不可または書き込み不可とするロックコマンドを送信しても良い。また、ＲＦＩＤタグ３０の書込み対象となる記憶領域に関して「書き込み不可」の設定がなされていた場合、リーダライタ３００は統計処理結果の書込み処理を実行する前に、書込み不可設定を解除してから書込み処理を実行するとしてもよい。
【００５７】
−−−処理手順例２−−−
図７は本実施形態の測定値管理システムの概略構成例２を示す図であり、図８は本実施形態の測定値管理方法の処理フロー例２を示す図である。次に、ＲＦＩＤタグ３０が記憶領域に格納している統計処理結果を読み出す際の処理について説明する。この場合のネットワーク構成としては、図７に例示するように、センサ５０およびセンササーバ２００を含むセンサシステムを必要としない。図１の構成と図７の構成を選択して設置することにより、より低コストでシステムを構築することができる。例えば、センサ５０の測定データの取得及び更新が必要な箇所は、図１の構成のシステムを構築し、統計処理結果の情報を取得する箇所には図７の構成のシステムを構築すればよい。
【００５８】
この例ではＡ物品５ＡにはＲＦＩＤタグ３０Ａが、Ｂ物品５ＢにはＲＦＩＤタグ３０Ｂがそれぞれ貼付されている。これらＲＦＩＤタグは、上記処理手順例１で説明した処理で、既に様々なセンサ５０の測定データに関する統計処理結果が格納されていることを前提とする。図７では、集中制御装置１００に対し、リーダライタ３００を１台のみ接続した例を示したが、複数台接続していても良い。
【００５９】
こうした状況において、前記集中制御装置１００のタグデータ取得部１１２は、ネットワーク１５を介して所定のリーダライタ３００（入力部１０５で予め指定されたリーダライタ３００或いはマルチキャスト対象のリーダライタなど）と通信し、ＲＦＩＤタグ３０からの統計処理結果取得の要求を通知する（ｓ２００）。
【００６０】
一方、リーダライタ３００は、電波の照射範囲にＲＦＩＤタグ３０が存在するか検索する（ｓ２０１）。この処理で通信可能なＲＦＩＤタグ３０が検索できなかった場合（ｓ２０１：Ｎｏ）、リーダライタ３００は処理を終了する。他方、前記処理で通信可能なＲＦＩＤタグ３０が検索できた場合（ｓ２０１：Ｙｅｓ）、リーダライタ３００は、検索できたＲＦＩＤタグ３０に対し、各センサ用の記憶領域４０６〜４１０に格納されている統計処理結果のデータ取得要求を通知して、該当統計処理結果を得る（ｓ２０２）。
【００６１】
なお、ＲＦＩＤタグ３０に「読取不可」のロックが設定されていた場合、当該ステップｓ２０２に当たって、リーダライタ３００は「読取不可」の設定を解除するコマンドを実行することになる。当然ながら、ＲＦＩＤタグ側では、各記憶領域に対するアクセス制御を前記Ｒｅｓｅｒｖｅｄ４０２のパスワード４１１に基づいて実行しているものとする。なお、図５で例示したように記憶領域４０６〜４１０が複数設定されているのではなく、記憶領域が１つのみである場合、リーダライタ３００は、ＲＦＩＤタグ３０に対して単に記憶領域の格納データ要求を通知することになる。
【００６２】
こうして前記リーダライタ３００は、通信可能な前記ＲＦＩＤタグ３０の記憶領域に格納されている前記統計処理結果のデータを取得し、集中制御装置１００に返す（ｓ２０３）。集中制御装置１００では前記リーダライタ３００がＲＦＩＤタグ３０から得た統計処理結果を記憶部１０１に格納し、ディスプレイ装置等の出力部１０６に出力して（ｓ２０４）、処理を終了する。集中制御装置１００がリーダライタ３００から得た統計処理結果のデータ管理例は図９に示す。この図９の例では、ＲＦＩＤタグＡ用の欄７１０に、Ａセンサ由来の統計処理結果として「１０」の値が、Ｂセンサ由来の統計処理結果として「６００」の値が格納されている。同様に、ＲＦＩＤタグＢ用の欄７２０に、Ａセンサ由来の統計処理結果として「５」の値が、Ｂセンサ由来の統計処理結果として「５００」の値が格納されている。
【００６３】
なお、前記集中制御装置１００のタグデータ取得部１１２は、例えば前記ステップｓ２０４の後に（勿論、ｓ２０４の前でもよいが）、前記統計処理結果のデータを所定基準値と照合し、その照合結果を出力部１０６に出力するとしてもよい（ｓ２０５）。統計処理結果が例えば温度データを示すものであり、所定基準値が正常温度範囲を示すものである場合、前記照合結果は、物品５に貼付されたセンサ５０＝温度センサが感知してきた物品周囲の温度が正常温度に収まっているか否かの判定結果となるのである。また、統計処理結果が例えば加速度データを示すものであり、所定基準値が正常加速度範囲を示すものである場合、前記照合結果は、物品５に貼付されたセンサ５０＝加速度センサが感知してきた物品の動きが正常加速度の範囲に収まっているか否かの判定結果となる。その他、圧力値や風速、流体等の濃度、など様々な態様が同様に想定できる。
【００６４】
照合結果の出力例としては、例えば、集中制御装置１００が接続されている上位の管理装置やユーザの端末等に所定メッセージを通知するとしても良い。なお、統計処理結果が正常範囲内であるか否かについて出力せず、照合結果をリスト化して集中制御装置１００の記憶部１０１に格納しておくか、或いはネットワーク接続されている上位の管理装置やユーザ端末等に送信するとしても良い。
【００６５】
なお、上記処理のうち集中制御装置１００の処理については、リーダライタ３００が代わって行うとしてもよい。
【００６６】
以上説明したように本実施形態によれば、ＲＦＩＤタグとセンサ類とを効率的に連携させて、対象物に関するセンサ測定値を確実かつ低コストに管理可能とできる。
【００６７】
以上、本発明の実施の形態について、その実施の形態に基づき具体的に説明したが、これに限定されるものではなく、その要旨を逸脱しない範囲で種々変更可能である。
【符号の説明】
【００６８】
５  物品
１０  測定値管理システム
１５  ネットワーク
１６  ネットワーク
３０  ＲＦＩＤタグ
５０  センサ
１００  集中制御装置（サーバ）
１０１  記憶部
１０２  プログラム
１０３  メモリ
１０４  制御部（ＣＰＵ）
１０５  入力部（キーボード、マウス等）
１０６  出力部（ディスプレイ、スピーカー等）
１０７  通信部
１１０  測定データ取得部
１１１  データ格納処理部
１１２  タグデータ取得部
２００  センササーバ（センサ管理装置）
３００  リーダライタ
【図２】
2011107903.tif 000003
【図３】
2011107903.tif 000004
【図４】
2011107903.tif 000005
【図５】
2011107903.tif 000006
【図６】
2011107903.tif 000007
【図８】
2011107903.tif 000008
【図９】
2011107903.tif 000009
【図１】
2011107903.tif 000010
【図７】
2011107903.tif 000011